(57)【要約】      （修正有）【課題】手すり本体の大きさを変更することなく、振動モーターとガスバッグを組み合わせて使用することにより、アームのマッサージ効果を最適にした手すり主体を含むマッサージチェアのアームマッサージ機構を提供する。【解決手段】手すり主体１は中空構造であり、手すり主体内には、少なくとも１つのガスバッグ３と少なくとも１つの振動モーター４を含む少なくとも１つのマッサージモジュールが設置されたキャビティ２が形成されている。ガスバッグは、キャビティ内の頂部に取り付けられ、ガスパイプを介して、ガスの充填及び放出を制御するエアポンプと連通する。マッサージモジュールは、更に振動モーター及びエアポンプの起動停止と運行を制御する電気制御ボックスを含む。キャビティ頂部には、ガスバッグを配置するガスバッグ室が設けられ、振動モーターは、キャビティ底部に固定されたモーター配置袋に取り付けられる。【選択図】図１
0003217872.tif 000002
【実用新案登録請求の範囲】
【請求項１】
手すり主体を含むマッサージチェアのアームマッサージ機構において、
前記手すり主体は中空構造であり、前記手すり主体内には、少なくとも１つのガスバッグと少なくとも１つの振動モーターを含む少なくとも１つのマッサージモジュールが設置されたキャビティが形成され、
前記ガスバッグは、前記キャビティ内の頂部に取り付けられ、ガスパイプを介して、前記ガスバッグのガスの充填及び放出を制御するエアポンプと連通し、
前記マッサージモジュールは、更に前記振動モーター及び前記エアポンプの起動停止と運行を制御する電気制御ボックスを含み、
前記振動モーター及び前記エアポンプが前記電気制御ボックスに電気的に接続される、
ことを特徴とするマッサージチェアのアームマッサージ機構。
【請求項２】
前記キャビティの頂部には、前記ガスバッグを配置するガスバッグ室が設けられている、
ことを特徴とする請求項１に記載のマッサージチェアのアームマッサージ機構。
【請求項３】
前記振動モーターが、前記キャビティの底部に固定されたモーター配置袋に取り付けられている、
ことを特徴とする請求項１に記載のマッサージチェアのアームマッサージ機構。
【請求項４】
前記１つのマッサージモジュール内に、前記１つのガスバッグを備える、
ことを特徴とする請求項１に記載のマッサージチェアのアームマッサージ機構。
【考案の詳細な説明】
【技術分野】
【０００１】
本考案は、マッサージチェアに関し、特に、マッサージチェアのアームマッサージ機構に関する。
【背景技術】
【０００２】
経済が絶え間なく発展し人間の生活リズムが絶え間なく加速するに伴って、心身の健康が重要視されてきている。中国では「半健康状態」に陥っている人の割合がすでに７０％程度に達し、９億人を超えている。推拿マッサージによる保健は、中国中華医学の伝統的な項目となっており、高齢者にも幼児にもよいため、応用範囲が非常に広い。マッサージチェア製品消費者調査報告に示されているように、よく購入されるブランドがブランド満足度に直接関連する。よく購入されるブランドのうち、現在、市場シェアが最も高いのは金斯福特（Ｋｉｎｇｓｆｏｒｄ）、栄泰、パナソニック、フジなどである。中国では、現在のマッサージチェアを必要とするユーザの割合に関しては中国のマッサージチェア市場において高齢者が約１／２を占めている。息子や娘が高齢者に孝行をする際、高齢者が青年や中年のように大きい力に耐えられないことを考慮しなければならない。そのため、軽やかでなめらかで快適なマッサージチェアのマッサージ力を選択しなければならない。このようなマッサージチェアは、一般的に価格が高くなく、高齢者にとって実用性が高い。
【０００３】
現在、従来のマッサージチェアにおけるガスバッグ手すり機構は、アームをマッサージするのがガスバッグしかない。マッサージチェアをよく使用する人は、ガスバッグによる押付のみのマッサージでは満足することができなくなっている。
【０００４】
要約すれば、本考案は上記問題を解決するためになされた改良である。
【考案の概要】
【考案が解決しようとする課題】
【０００５】
本考案は、マッサージチェアのアームマッサージ機構を提供して、マッサージチェアによるアームのマッサージ効果をより顕著にすることを目的とする。
【課題を解決するための手段】
【０００６】
本考案は、その技術的問題を解決するために以下の技術的解決手段を採用する。
【０００７】
手すり主体を含むマッサージチェアのアームマッサージ機構において、
前記手すり主体は中空構造であり、前記手すり主体内には、少なくとも１つのガスバッグと少なくとも１つの振動モーターを含む少なくとも１つのマッサージモジュールが設置されたキャビティが形成され、
前記ガスバッグは、前記キャビティ内の頂部に取り付けられ、ガスパイプを介して、前記ガスバッグのガスの充填及び放出を制御するエアポンプと連通し、
前記マッサージモジュールは、更に前記振動モーター及び前記エアポンプの起動停止と運行を制御する電気制御ボックスを含み、
前記振動モーター及び前記エアポンプが前記電気制御ボックスに電気的に接続される、マッサージチェアのアームマッサージ機構である。
【０００８】
更に、前記キャビティの頂部には、前記ガスバッグを配置するガスバッグ室が設けられている。
【０００９】
更に、前記振動モーターが、前記キャビティの底部に固定されたモーター配置袋に取り付けられている。
【００１０】
更に、前記１つのマッサージモジュール内に、前記１つのガスバッグを備える。
【考案の効果】
【００１１】
本考案は以下の利点を有する。
１．本考案で提供されるマッサージチェアのアームマッサージ機構は振動モーターとガスバッグを組み合わせて使用することにより、アームのマッサージ効果を最適にした。
２．該機構の振動モーターがキャビティに設置され、余分な空間を利用することになるため、手すり本体の大きさを変更することがない。
【図面の簡単な説明】
【００１２】
【図１】本考案で提供されるマッサージチェアのアームマッサージ機構の構造模式図である。
【図２】該機構をマッサージチェアに用いた図である。
【考案を実施するための形態】
【００１３】
本考案により実現される技術的手段、創作特徴、達成目的、及び機能効果を分かりやすくするために、以下、図面と具体的な実施例を参照しながら本考案を更に説明する。
【００１４】
図１〜図２に示すように、本考案で提供されるマッサージチェアのアームマッサージ機構は手すり主体１を含む。前記手すり主体１は中空構造であり、手すり主体内には、少なくとも１つのガスバッグ３と少なくとも１つの振動モーター４を含む少なくとも１つのマッサージモジュールが設置されたキャビティ２が形成されている。前記ガスバッグ３は、キャビティ２内の頂部に取り付けられ、ガスパイプを介して、ガスバッグ３のガス充填、ガス放出を制御するエアポンプと連通している。前記マッサージモジュールは、更に振動モーター４及びエアポンプの起動停止と運行を制御する電気制御ボックス５を含む。前記振動モーター４及びエアポンプは、電気制御ボックス５に電気的に接続される。ガスバッグ３は、ガスが充填されて膨張した後、ユーザのアームをカバーしてユーザのアームを全方向からマッサージすることができる。更に、キャビティ２の頂部のガスバッグ３は、皮革により被覆されている。これにより、ガスバック３の耐用年数は、大幅に延長される。電気制御ボックス５は振動モーター４とエアポンプを制御するためのものである。振動モーター４は、電気制御ボックス５に制御されて異なる頻度の振動を発生させ、ユーザのアームを異なるモードでマッサージすることができる。エアポンプは、電気制御ボックス５に制御されて、ガスバッグ３内にガスを充填したりガスを放出したりする。本考案では、１つのマッサージモジュール内に好ましくは１つのガスバッグ３が設置され、キャビティ２内に好ましくは２つのマッサージモジュールが設置される。
【００１５】
具体的に言えば、エアポンプは、ガスパイプを介してガスバッグ３に接続されている。また、エアポンプは複数のガスパイプを介して複数の並列設置されたマッサージモジュール内の複数のガスバッグ３とそれぞれ連通することが可能である。これにより、各ガスバッグ３を単独で制御することができ、即ち、電気制御ボックス５により各ガスバッグ３に対してガスを充填したり放出したりするように制御することができる。これにより、ユーザに快適なマッサージを与えることができる。キャビティ２はケースを手すり本体１として組み立てる時に形成されたものであり、本考案では、手すり本体１は一体に成形された構造であってもよく、この時に手すり本体１内に直接キャビティを形成してもよい。
【００１６】
更に、振動モーター４とエアポンプは導電伝送線路を介して電気制御ボックス５に電気的に接続される。
【００１７】
更に、キャビティ２の頂部には、前記ガスバッグ３を配置するガスバッグ室が設けられている。エアポンプは、ガスパイプを介してガスバッグ３に接続されている。ガスパイプとガスバッグ３との接続箇所には、ガスパイプ継手が設けられ、且つ継手に空気漏れを効果的に防止するシールリングが設置されている。振動モーター４は、キャビティの底部に固定されたモーター配置袋に取り付けられている。本考案では、モーター配置袋は、好ましくはボルトによりキャビティ２内に固定されている。モーター配置袋は、絶縁材料を利用したものであって、ユーザ感電を防止する。
【００１８】
上記技術的解決手段の具体的な操作ステップは以下のようになる。
【００１９】
該機構を使用する時、ユーザの実際の使用状況に応じてガスの充填を必要とするガスバッグ数を設定することで、ユーザに最適なマッサージを与えることができる。電気制御ボックスは、エアポンプと振動モーターとを別々に制御することができる。これによりガスバッグ内にガスを充填したり放出したりする機能と振動モーターを起動する機能という二種類の機能を同時に果たすことができる。或いは、ユーザのニーズに応じて、振動モーターを単独で動作させ、又はガスバッグ内にガスを充填して、ユーザのアームを全方向からマッサージするだけでなく、更にユーザの実際のニーズに応じて、その中の１つの部位を単独でマッサージすることができる。また、マッサージの力、及びマッサージの方式は、それぞれ個別に設定することで、異なるユーザのニーズを満足させることができる。
【００２０】
以上の実施形態は、本考案の技術的構想及び特徴を説明するためのものに過ぎず、その目的は当業者に本考案の内容を理解させ実施させることであり、それにより本考案の保護範囲を限定することができず、本考案の主旨実質に基づいて行った、効果が相当する変化又は修飾は、全て本考案の保護範囲に含まれるものとする。
【図１】
0003217872.tif 000003
【図２】
0003217872.tif 000004